(57)【特許請求の範囲】
【請求項１】
電子ペーパーと、
この情報表示装置の電源を定期的にオンする自動起動手段と、
前記電源オンに応じて、通信ネットワークを介して所定の情報配信サーバにアクセスし、該アクセスした情報配信サーバから前記電子ペーパーに表示すべき情報のデータであって、少なくともリンク先情報を含んでなるものを取得する取得手段と、
前記取得したデータを記憶する記憶手段と、
前記記憶されたデータに基づき前記電子ペーパーに情報を表示するための表示用データを生成し、該生成した表示用データに従って前記電子ペーパーに該当の情報を表示する制御手段と、
前記オンした電源をオフする自動停止手段と、
ユーザによるこの情報表示装置の電源オンに応じて、前記記憶されたデータに基づき、電源オフ中に前記電子ペーパーに表示が保持されていた情報を再表示するための表示用データを再生成し、該再生成した表示用データに従って前記電子ペーパーに該当の情報を表示する再表示手段であって、前記表示用データは、前記電子ペーパーに再表示される情報と前記記憶されたデータに含まれるリンク先情報とを関連付けるものと、
前記電子ペーパーに再表示された情報に基づいて、該情報に関連する更なる情報へのアクセス指示を受け付ける指示手段と
を具えてなり、
前記アクセス指示に応じて、電源オフ中に前記電子ペーパーに表示が保持されていた情報に関連する更なる情報を、前記再生成された表示用データに対応する前記記憶されたデータに含まれる該当のリンク先情報に従って前記該当する情報配信サーバから取得して前記電子ペーパーに表示することを特徴とする情報表示装置。
【請求項２】
前記記憶手段に記憶する前記電子ペーパーに表示すべき情報のデータはリンク先情報を含むデータであって、該データに基づき生成された表示データに従い前記電子ペーパー上に情報の表示がなされると共に、前記リンク先情報を含むデータに基づき生成された前記表示用データに従う情報の表示箇所についてのみ、前記指示手段による該情報に関連する更なる情報へのアクセス指示を受け付ける箇所となることを特徴とする請求項１に記載の情報表示装置。
【請求項３】
コンピュータに、
この情報表示装置の電源を定期的にオンする手順と、
前記電源オンに応じて、通信ネットワークを介して所定の情報配信サーバにアクセスし、該アクセスした情報配信サーバから所定の電子ペーパーに表示すべき情報のデータであって、少なくともリンク先情報を含んでなるものを取得する手順と、
前記取得したデータを記憶する手順と、
前記記憶されたデータに基づき、所定の前記電子ペーパーに情報を表示するための表示用データを生成し、該生成した表示用データに従って前記電子ペーパーに該当の情報を表示する手順と、
前記オンした電源をオフする手順と、
前記定期的な電源オンがなされていない電源オフ中にユーザによるこの情報表示装置の電源オン操作を検知した場合に、前記記憶されたデータに基づき、前記電源オフ中に前記電子ペーパーに表示が保持されていた情報を再表示するための表示用データを再生成し、該再生成した表示用データに従って前記電子ペーパーに該当の情報を表示する手順であって、前記表示用データは、前記電子ペーパーに再表示される情報と前記記憶されたデータに含まれるリンク先情報とを関連付けるものと、
前記電子ペーパーに再表示された情報に基づいて、該情報に関連する更なる情報へのアクセス指示を受け付ける手順と、
前記アクセス指示に応じて、電源オフ中に前記電子ペーパーに表示が保持されていた情報に関連する更なる情報を、前記再生成された表示用データに対応する前記記憶されたデータに含まれる該当のリンク先情報に従って前記該当する情報配信サーバから取得して前記電子ペーパーに表示する手順と
を実行させるためのプログラム。
【発明の詳細な説明】
【技術分野】
【０００１】
この発明は、表示内容を定期的に更新しながら所定の表示器に各種情報を表示する情報表示装置及びプログラムに関する。特に、薄くて軽量でありかつ電源オフ時においても表示が保持されるといった特徴を有するシート状の電子ペーパーを利用して、該電子ペーパーに対して通信ネットワークを介して情報配信サーバから取得した情報を表示する情報表示装置及びプログラムに関する。
【背景技術】
【０００２】
従来から、表示内容を定期的に更新しながら所定の表示器に対して各種情報を表示する情報表示装置が知られている。こうした情報表示装置の１例として、例えば下記に示す特許文献１に記載の装置がある。この特許文献１に開示されている情報表示装置においては、表示器としてメモリ性を有する反射型の液晶表示器（ＬＣＤ）を用いており、この液晶表示器に対して定期的に通信手段を介して外部から取得した情報に表示内容を切り替えながら表示すること（つまり、表示の自動更新）により、ユーザに対して緊急情報や最新情報などを定期的に提示するようにしている。
【特許文献１】特開2000-147465号公報
【０００３】
上記した特許文献１に記載の情報表示装置は、表示器としてメモリ性を有する液晶表示器を用いていることから、装置本体の電源が遮断されたとしても現在表示中の表示内容をそのまま維持することができ、これにより表示の維持のために電力を消費することがなく経済的であり、またノイズの悪影響が出ないという利点を有する。しかし、上記したような従来の情報表示装置は、屋内、屋外、車内等に固定的に設置され、定期的に通信手段を介して外部から送られてくる情報を表示する所謂電子掲示板に関するものであって、一方的にユーザに対して予め決められた情報を提示するだけであった。すなわち、ユーザ自身が液晶表示器に表示されている表示内容を基にして選択的に情報配信サーバにアクセスし、該アクセスした情報配信サーバから前記表示内容に関連した更なる情報を取得して表示させることについては全く考えられていなかった。さらに、最近では新しい表示器として、薄くて軽量でありかつ電源オフであっても電源オフの直前に表示中であった表示を保持することで省電力を実現可能なシート状の電子ペーパーが用いられるようになってきている。そこで、上記したような液晶表示器に比べてより省電力な電子ペーパーを用い、なおかつ前記電子ペーパーで表示が保持されている表示内容を基にして、ユーザが適宜に該表示内容に関連する更なる新規の情報を外部の情報配信サーバから取得して表示することのできる情報表示装置が望まれていたが、そうしたものは従来なかった。
【発明の開示】
【発明が解決しようとする課題】
【０００４】
本発明は上述の点に鑑みてなされたもので、各種情報を表示するための表示器として液晶表示器に比べてより消費電力が小さく、またユーザにとって目にやさしく見やすい電子ペーパーを用い、さらにユーザによる表示内容に基づく指定操作に応じて外部の情報配信サーバにアクセスし、該アクセスした情報配信サーバから前記表示内容に関連した更なる新規の情報を新たに取得して表示することのできる情報表示装置及びプログラムを提供することを目的とする。
【課題を解決するための手段】
【０００５】
本発明に係る情報表示装置は、電子ペーパーと、この情報表示装置の電源を定期的にオンする自動起動手段と、前記電源オンに応じて、通信ネットワークを介して所定の情報配信サーバにアクセスし、該アクセスした情報配信サーバから前記電子ペーパーに表示すべき情報のデータであって、少なくともリンク先情報を含んでなるものを取得する取得手段と、前記取得したデータを記憶する記憶手段と、前記記憶されたデータに基づき前記電子ペーパーに情報を表示するための表示用データを生成し、該生成した表示用データに従って前記電子ペーパーに該当の情報を表示する制御手段と、前記オンした電源をオフする自動停止手段と、ユーザによるこの情報表示装置の電源オンに応じて、前記記憶されたデータに基づき、電源オフ中に前記電子ペーパーに表示が保持されていた情報を再表示するための表示用データを再生成し、該再生成した表示用データに従って前記電子ペーパーに該当の情報を表示する再表示手段であって、前記表示用データは、前記電子ペーパーに再表示される情報と前記記憶されたデータに含まれるリンク先情報とを関連付けるものと、前記電子ペーパーに再表示された情報に基づいて、該情報に関連する更なる情報へのアクセス指示を受け付ける指示手段とを具えてなり、前記アクセス指示に応じて、電源オフ中に前記電子ペーパーに表示が保持されていた情報に関連する更なる情報を、前記再生成された表示用データに対応する前記記憶されたデータに含まれる該当のリンク先情報に従って前記該当する情報配信サーバから取得して前記電子ペーパーに表示することを特徴とする。
【０００６】
この発明によると、この情報表示装置の電源を定期的に自動オンオフする度に、通信ネットワークを介して所定の情報配信サーバに接続し、該接続された所定の情報配信サーバから電子ペーパーに表示すべき情報のデータを取得する。このデータは、少なくともリンク先情報を含んでなる。そして、取得したデータを記憶手段に記憶するとともに、前記電子ペーパーに該当の情報を表示させる。このとき、前記取得したデータに基づき前記電子ペーパーに情報を表示するための表示用データを生成する。電子ペーパーが有する特徴の１つとして電源オフ時においても表示を保持できることから、前記表示用データが電源オフに応じて削除されたとしても、情報配信サーバから取得した情報を電力を消費することなしに常時表示させておくことができ、また定期的に情報を自動更新するのでユーザは常に最新情報を得ることができる。一方、ユーザによるこの情報表示装置の電源オンがあった場合には、前記記憶されたデータに基づき、電源オフ中に前記電子ペーパーに表示が保持されていた情報を再表示して、前記電子ペーパーに再表示された情報に関連する更なる情報へのアクセス指示を受け付けることができるようにしている。このときには、前記記憶されたデータに基づき、電源オフ中に前記電子ペーパーに表示が保持されていた情報を再表示するための表示用データが再生成される。表示用データを再生成することで、電子ペーパーに再表示される情報と前記記憶されたデータに含まれるリンク先情報との関連付けを行うことができる。これによると、電子ペーパー上での直接的なアクセス指示に応じて、前記記憶されたデータに従って電源オフ中に前記電子ペーパーに表示が保持されていた情報に関連する更なる情報を、該当する情報配信サーバから取得して前記電子ペーパーに表示することから、ユーザは電子ペーパーに表示された情報に関連する更なる情報を情報配信サーバから任意に取得して表示させることが直感的かつ容易にできるようになる。
【０００７】
本発明は装置の発明として構成し実施することができるのみならず、方法の発明として構成し実施することができる。また、本発明は、コンピュータまたはＤＳＰ等のプロセッサのプログラムの形態で実施することができるし、そのようなプログラムを記憶した記憶媒体の形態で実施することもできる。
【発明の効果】
【０００８】
この発明によれば、定期的な電源のオンオフに応じて随時にアクセスした外部の情報配信サーバから取得した情報を保存するとともに電子ペーパーに表示することから、電力を消費しない電源オフ時においても表示内容を維持できるだけでなく、電源オン中においては電源オフ時に表示されていた表示内容に基づいて、ユーザが該表示内容に関連する更なる情報を情報配信サーバから任意に取得して表示させることが容易にできるようになる、という効果を奏する。
【発明を実施するための最良の形態】
【０００９】
以下、この発明の実施の形態を添付図面に従って詳細に説明する。
【００１０】
図１は、この発明に係る情報表示装置を適用した電子音楽装置の全体構成の一実施例を示したハード構成ブロック図である。本実施例に示す電子音楽装置（例えば電子楽器やパーソナルコンピュータ等）は、マイクロプロセッサユニット（ＣＰＵ）１、リードオンリメモリ（ＲＯＭ）２、ランダムアクセスメモリ（ＲＡＭ）３からなるマイクロコンピュータによって制御される。ＣＰＵ１は、この電子音楽装置全体の動作を制御するものである。このＣＰＵ１に対して、データ及びアドレスバス１Ｄを介してＲＯＭ２、ＲＡＭ３、検出回路４、駆動回路５、電子ペーパー駆動回路６、音源回路７、効果回路８、外部記憶装置１０、MIDIインタフェース（Ｉ／Ｆ）１１および通信インタフェース（Ｉ／Ｆ）１２がそれぞれ接続されている。更に、ＣＰＵ１には、タイマ割込み処理（インタラプト処理）における割込み時間や各種時間を計時するタイマ１Ａが接続されている。例えば、タイマ１Ａはクロックパルスを発生し、発生したクロックパルスをＣＰＵ１に対して処理タイミング命令として与えたり、あるいはＣＰＵ１に対してインタラプト命令として与える。ＣＰＵ１は、これらの命令に従って各種処理を実行する。
【００１１】
ＲＯＭ２は、ＣＰＵ１により実行される各種プログラムや各種データを格納するものである。ＲＡＭ３は、ＣＰＵ１が所定のプログラムを実行する際に発生する各種データを一時的に記憶するワーキングメモリとして、あるいは現在実行中のプログラムやそれに関連するデータを記憶するメモリ等として使用される。ＲＡＭ３の所定のアドレス領域がそれぞれの機能に割り当てられ、レジスタやフラグ、テーブル、メモリなどとして利用される。演奏操作子／設定操作子４Ａは、例えば楽音の音高を選択するための複数の鍵を備えた例えば鍵盤等の演奏操作子、電子ペーパー６Ａに表示する各種情報を選択するあるいは楽曲再生の際に用いられる各種パラメータを設定するための設定操作子などである。設定操作子としては、例えば電子ペーパー６Ａに表示される所定のポインタを操作するためのポインティングデバイスであるマウス、演奏時に用いる音高、音色、効果等を選択・設定・制御する各種スイッチあるいは数値データ入力用のテンキーや文字データ入力用のキーボードなどがある。検出回路４は演奏操作子の各鍵の押圧及び離鍵を検出して検出出力を生じたり、設定操作子の操作状態を検出して操作状態に応じたスイッチ情報をデータ及びアドレスバス１Ｄを介してＣＰＵ１に出力する。勿論、演奏操作子としては鍵盤楽器の形態に限らず、弦楽器や管楽器、あるいは打楽器等どのようなタイプの形態でもよい。
【００１２】
ＬＣＤ表示器５Ａは例えばメモリ性を有しない液晶表示パネル等から構成されるディスプレイであって、駆動回路５による制御に従い楽曲の一覧や演奏中の楽曲の楽譜などを表示したり、上記設定操作子４Ａにより設定された情報を表示したり、あるいはＣＰＵ１の制御状態などを表示したりすることができる。前記ＬＣＤ表示器５Ａは従来知られた電子楽器等に広く用いられている表示器であるが、このＬＣＤ表示器５Ａは表示切り替えの際に係る応答速度が速い点において後述するような電子ペーパー６Ａに比べて有利であることから、該ＬＣＤ表示器５Ａに外部のサーバコンピュータ１２Ａ（情報配信サーバ）等から取得した情報を表示することも考えられる。しかし、前記ＬＣＤ表示器５Ａ上に情報を表示する際には、当該表示器自体を発光させなければならないこと、表示中の表示内容を保持しておくために常時電力を供給しておかなければならないこと、などから電子ペーパー６Ａに比べると消費電力が非常に大きい。また、ＬＣＤ表示器５Ａ自体が発光していることからユーザにとっては非常に目が疲れ易く長い時間見つづけるには不向きである、さらには画面の大きなものはコストが高い、などの点で電子ペーパー６Ａに比べて不利である。そこで、この電子音楽装置ではＬＣＤ表示器５Ａとは別に、表示器として電子ペーパー６Ａ（フレキシブルなシート状のディスプレイ）を着脱可能に装着することができ、電子ペーパー駆動回路６の制御に従って該装着された電子ペーパー６Ａに対して外部の情報配信サーバ１２Ａから取得した情報などを表示するようにしている。
【００１３】
なお、上記したＬＣＤ表示器５Ａ及び電子ペーパー６Ａは、当該電子音楽装置本体における図示しない電源のオンオフに対応して表示のオンオフがなされるように制御される。すなわち、ＬＣＤ表示器５Ａ及び電子ペーパー６Ａに対しては電子音楽装置本体の電源から電力供給されており、装置本体の電源がオンされると情報の表示が開始され、装置本体の電源がオフされると情報の表示が終了される。ただし、電子ペーパー６Ａについてはその有する特性から、電源オフされても表示中の情報がそのままの表示状態で保持されるようになっている（詳しくは後述する）。
【００１４】
ここで、当該電子音楽装置に装着可能な電子ペーパー６Ａについて、図２を用いて説明する。電子ペーパー６Ａには種々の方式のものが公知であるが、ここでは一例としてマイクロカプセル型電気泳動方式の電子ペーパーを例にして説明する。図２は、従来知られたマイクロカプセル型電気泳動方式の電子ペーパーの構造を示す概要図である。
【００１５】
図２に示すように、マイクロカプセル型電気泳動方式の電子ペーパー６Ａは、互いに重ね合わせたフィルム等からなる透明電極ＡとＴＦＴ基盤等からなる背面電極Ｂとの間に、所謂電子インクと呼ばれる透明なマイクロカプセルＣを多数配置したものである（ただし、ここでは図示の都合上、便宜的に２つのみ示している）。この透明なマイクロカプセルＣ内には黒色微粒子Ｄと白色微粒子Ｅとが封入されており、電圧（電荷）を印加することにより前記黒色微粒子Ｄと白色微粒子Ｅを電気泳動させて白黒をスイッチング表示することができ、これにより任意の画像を透明電極Ａ上に表示することができるようになっている。具体的には黒色微粒子Ｄとして負に帯電したカーボンブラック粒子を、白色微粒子Ｅとして正に帯電した酸化チタン粒子を封入したマイクロカプセルＣに対して、透明電極Ａ及び背面電極Ｂのそれぞれに表示したい画像に応じた正負の電荷を加えることによって、白色微粒子Ｅは負電荷側に、黒色微粒子Ｄは正電荷側に集められる。こうして、画面表面となる透明電極Ａ側に、外部の情報配信サーバ１２Ａから取得した各種情報などを白及び黒を用いた画像として表示することができる。
【００１６】
このような構造をした電子ペーパー６Ａは、以下に示すような利点がある。コントラストが高く、画面全体を発光せずとも外部の光源から発せられた光により表示された画像を見る反射型であるために、目にやさしく見やすい。薄く軽量であり適宜に曲げることができることから、持ち運びしやすい。また、構造が簡単であることから、画面サイズを大きくするにも低コストで済む。さらには、外部（ここでは電子音楽装置本体）から常時電力を与え続けなくても表示状態をそのまま保持することから、表示に必要な消費電力を抑えることができ省電力を実現することができる。したがって、例えば本体内に電源を内蔵している持ち運び可能なモバイル型の電子音楽装置等に用いるのに、上記したような電子ペーパー６Ａは特に最適な表示器である。
【００１７】
なお、上記実施例では電子ペーパー６Ａとしてマイクロカプセル型電気泳動方式のものを例に示したがこれに限らず、公知である他の方式による電子ペーパー６Ａであってもよい。例えば、ツイスティングボール方式、水平移動型電気泳動方式、電解析出・溶解式など、種々のどのような方式の電子ペーパー６Ａを採用してもよい。ただし、そうした場合には、各方式に応じて電子ペーパー６Ａの駆動方法は異なることから、採用した各方式に応じた駆動方法で電子ペーパー６Ａを駆動するようにすればよい。
【００１８】
図１の説明に戻って、音源回路７は複数のチャンネルで楽音信号の同時発生が可能であり、データ及びアドレスバス１Ｄを経由して与えられる、ユーザによる演奏操作子４Ａの操作に応じて発生された、あるいは予め記憶している又は外部の情報配信サーバ１２Ａからコンテンツとして取得した自動演奏データなどの演奏情報を入力し、これらの演奏情報に基づいて楽音信号を発生する。また、音源回路７では発生させる楽音信号を各種パラメータに基づいて制御し、該発生させた楽音信号を効果回路８を介してアンプやスピーカなどを含むサウンドシステム９から発音する。効果回路８は、音源回路７からの楽音信号に効果を付与する。こうした音源回路７、効果回路８、サウンドシステム９の構成には、従来のいかなる構成を用いてもよい。例えば、音源回路７はＦＭ、ＰＣＭ、物理モデル、フォルマント合成等の各種楽音合成方式のいずれを採用してもよく、また専用のハードウェアで構成してもよいし、ＣＰＵ１やＤＳＰ（図示せず）等によるソフトウェア処理で構成してもよい。
【００１９】
外部記憶装置１０は、外部の情報配信サーバ１２Ａから取得したWebページデータや自動演奏データなどの各種データ、あるいはＣＰＵ１が実行する各種制御プログラム（例えば、後述する「タイマによる電源オン時の処理（タイマ処理）」や「ユーザ操作による電源オン時の処理」など）や制御に関するデータなどを記憶するものである。なお、上述したＲＯＭ２に制御プログラムが記憶されていない場合、この外部記憶装置１０（例えばハードディスク）に制御プログラムを記憶させておき、それをＲＡＭ３に読み込むことにより、ＲＯＭ２に制御プログラムを記憶している場合と同様の動作をＣＰＵ１にさせることができる。このようにすると、制御プログラムの追加やバージョンアップ等が容易に行える。なお、外部記憶装置１０はハードディスク（HD）に限られず、フレキシブルディスク（FD）、コンパクトディスク（CD‐ROM・CD‐RAM）、光磁気ディスク（MO）、あるいはDVD（Digital Versatile Disk）等の着脱自在な様々な形態の外部記憶媒体を利用する記憶装置であればどのようなものであってもよい。あるいは、フラッシュメモリなどの半導体メモリであってもよい。
【００２０】
MIDIインタフェース（Ｉ／Ｆ）１１は、外部接続された他のMIDI機器１１Ａ等からMIDI形式の演奏情報（MIDIデータ）を当該電子音楽装置へ入力したり、あるいは当該電子音楽装置からMIDI形式の演奏情報（MIDIデータ）を他のMIDI機器１１Ａ等へ出力するためのインタフェースである。通信インタフェース（Ｉ／Ｆ）１２は例えばLAN等の有線あるいは無線の通信ネットワークＸに接続されており、該通信ネットワークＸを介して外部のサーバコンピュータ１２Ａ（情報配信サーバ）と接続されることによって、該情報配信サーバ１２Ａとの間でWebページデータや自動演奏データなどの各種データを必要に応じて送受信することができる。なお、こうした通信インタフェース１２は、有線あるいは無線のものいずれかでなく双方を具えていてよい。
【００２１】
なお、電子音楽装置は、演奏操作子／設定操作子４Ａ、ＬＣＤ表示器５Ａ、電子ペーパー６Ａ、音源回路７などを１つの装置本体に内蔵したものに限らず、それぞれが別々に構成され、MIDIインタフェースや各種ネットワーク等の通信手段を用いて各装置を接続するように構成されたものであってもよい。また、本発明に係る情報表示装置を適用する機器としては、上記したような電子楽器やパーソナルコンピュータ等の電子音楽装置の形態に限らず、携帯電話等の携帯型通信端末、あるいはカラオケ装置やゲーム装置など、表示器として電子ペーパー６Ａを装着可能であればどのような形態の装置・機器に適用してもよい。携帯型通信端末に適用した場合、端末のみで所定の機能が完結している場合に限らず、機能の一部をサーバ側に持たせ、端末とサーバとからなるシステム全体として所定の機能を実現するようにしてもよい。あるいは音楽機能を有さない装置でもよい。
【００２２】
次に、電子ペーパー６Ａに対する情報表示に関連する処理として、タイマ１Ａによる電子音楽装置本体の電源オンに伴い実行される「タイマによる電源オン時の処理（タイマ処理）」と、ユーザ操作による電子音楽装置本体の電源オンに伴い実行される「ユーザ操作による電源オン時の処理」とについて、それぞれ図を分けて説明する。まず、電子音楽装置本体の電源オフ時においても装置本体に内蔵されている内蔵電池（図示せず）により常時駆動されるタイマ１Ａが所定の時間間隔を計時する度に（例えば、１分毎、１時間毎、１日毎、１ヶ月毎など）、自動的に起動される「タイマ処理」について、図３を用いて説明する。なお、内蔵電池に限らず、電子音楽装置本体の電源オフ時にもタイマへの電力供給は維持するように構成してもよい。図３は、「タイマ処理」の一実施例を示すフローチャートである。
【００２３】
ステップＳ１は、当該電子音楽装置本体の電源を自動的にオンする。これにより、図１に示された電子音楽装置を構成する各機器に対して電力が供給されて、各機器は稼動を開始することになる。ステップＳ２は、所定のWebサイト（情報配信サーバ）に対して通信ネットワークＸを介してアクセスする。ステップＳ３は、該アクセスしたWebサイトからWebページデータ（表示用データの元となるHTML等のマークアップ言語で記述されたテキストデータと、画像データ等からなる１乃至複数のデータ）を取得して、これを外部記憶手段１０に保存する。例えば、予め決められているURL（Uniform Resource Locator）などに従って、該当するWebサイトを特定して通信ネットワークＸを介して互いの間で情報を送受信可能な状態とした上で、所定のWebページデータを取得する。ステップＳ４は、該保存したWebページデータに基づき、電子ペーパー６Ａに表示する情報の表示内容を表すWebページ表示データ（表示用のビットマップデータ）を生成する。このWebページデータに基づいてのWebページ表示データの生成は、所定のブラウザ（ソフトウエアプログラム）などによって行われる従来知られた処理であることから、ここでは説明を省略する。
【００２４】
ステップＳ５は、該生成したWebページ表示データを電子ペーパー６Ａに表示する。上記各処理終了後、当該電子音楽装置本体の電源を自動的にオフしてスリープ状態とする（ステップＳ６）。この電源オフに伴い、前記生成したWebページ表示データは外部記憶装置１０などに記憶されることなく消去されるが、電子ペーパー６Ａでは上述したような特性からWebページ表示データが記憶されていなくても、電源オフ時に表示中であった情報についてその表示状態をそのまま保持する。このように、定期的に情報配信サーバから新規の情報（Webページ）を取得し、ユーザ自身による電源のオンオフ操作に関わらずに該取得した新規の情報を電子ペーパー６Ａ上に常時に表示させておくことによって、ユーザは特に電源オンによる最新情報への更新を意識することなしに、常に最新情報の提示を受けることができるようになる。
【００２５】
次に、ユーザ操作による電子音楽装置本体の電源オンに伴い実行される「ユーザ操作による電源オン時の処理」について、図４を用いて説明する。図４は、「ユーザ操作による電源オン時の処理」の一実施例を示すフローチャートである。
【００２６】
ステップＳ１１は、外部記憶装置１０に保存されているWebページデータを読み出す。ステップＳ１２は、該読み出したWebページデータに基づきWebページ表示データを生成する。ステップＳ１３は、該生成したWebページ表示データを電子ペーパー６Ａに表示する。すなわち、電源オフ時において電子ペーパー６Ａ上に表示が保持されている情報の元となっているデータであって、上記した「タイマ処理」時においてWebサイトから取得し保存しておいたWebページデータを読み出し（図３のステップＳ３参照）、ユーザによる電源オン時において電源オフ時に電子ペーパー６Ａに表示されていた情報をそのままの表示状態で表示するように表示内容を再描画する。ステップＳ１４は、ユーザによるマウス等の操作に応じたポインタの移動表示を電子ペーパー６Ａ上において実行する。ステップＳ１５は、前記ポインタ操作に伴いリンクのクリック等による更なる情報へのアクセスが行われたか否かを判定する。更なるアクセスが行われた場合には（ステップＳ１５のＹＥＳ）、保存されているWebページデータに基づいて関連するWebサイト（情報配信サーバ）にアクセスする（ステップＳ１６）。ステップＳ１７は、クリックされたリンク先に応じたWebページデータ又はコンテンツデータ（自動演奏データなど）を取得し、該取得したWebページデータ又はコンテンツデータを外部記憶装置１０などに保存する。従来から知られているように、Webサイトから取得されるWebページデータは例えばHTML（Hyper Text Markup Language）等で記述されており、該文章内の一部を別の文章（他のWebページ）に関連付けておくことで（所謂リンク）、当該箇所のクリックに応じて該当する他のWebページへジャンプするLink先情報などを含んでいる。そこで、ユーザによりリンクのクリック等が行われた場合には、該WebページデータのLink先情報に基づき関連する情報を取得する。こうした処理は、ユーザ側（本実施例では電子音楽装置）でWebページ表示データではなくWebページデータを記憶しておかないことには実行されない。
【００２７】
ステップＳ１８は前記取得したデータがコンテンツデータであるか否かを判定し、コンテンツデータである場合には（ステップＳ１８のＹＥＳ）、該コンテンツデータを再生する（ステップＳ１９）。例えば、取得したコンテンツデータが自動演奏データであるならば、該自動演奏データに基づき楽曲の自動演奏を開始する。一方、コンテンツデータでなくWebページデータである場合には（ステップＳ１８のＮＯ）、該Webページデータに基づく表示を電子ペーパー６Ａに行うために、上記ステップＳ１２の処理に戻ってステップＳ１２〜ステップＳ１８までの処理を繰り返し実行する。これにより、リンクのクリック操作に基づく表示内容に関連する新規の情報が電子ペーパー６Ａに表示される。ステップＳ２０は、ユーザによる電源オフ操作がなされたか否かを判定する。電源オフ操作が行われていない場合には（ステップＳ２０のＮＯ）、上記ステップＳ１４の処理に戻ってステップＳ１４〜ステップＳ２０までの処理を繰り返し実行する。電源オフ操作が行われている場合には（ステップＳ２０のＹＥＳ）、当該処理を終了する。
【００２８】
ここで、上記各処理の実行に伴って実行される、装置本体の電源オンオフに応じた電子ペーパー６Ａの表示内容の切り替えについて、具体例を用いて説明する。図５は、装置本体の電源オンオフのタイミングチャートに従って、電子ペーパー６Ａに切り替え表示される表示内容の一例を示した概念図である。この図５では、上段に電子ペーパー６Ａに表示される表示例（ここでは「日めくりカレンダー」の例を示す）を、中段に電子ペーパー６Ａの表示状態（表示中の状態を四角形で示す）を、下段に電源オンオフの状態（電源オン状態を斜線で示す）をそれぞれ示している。
【００２９】
例えば200X年10月7日の時刻ｔ０において、当該電子音楽装置の電源がタイマ起動により自動的にオンされたとすると（初回の電源オン）、外部の情報配信サーバから情報を取得し、該取得した情報を電子ペーパー６Ａに表示する。一般的に、電子ペーパー６Ａでは、新たな表示の駆動を開始してから当該表示を完了するまでに係る応答速度（応答時間）がＬＣＤ表示器５Ａなどと比べると非常に遅いことから、表示を切り替えるのにＬＣＤ表示器５Ａよりも時間がかかる（数十〜百数十ｍｓ（ミリ秒）程度）。したがって、電源オンされてからいくらかの時間遅れた後に、電子ペーパー６Ａに図示したような「200X年10月7日の日めくりカレンダー」（画面表示例１）を表示するよう「描画１」が行われる。そして、所定時間後に電源オフがなされるが、上述したように電子ペーパー６Ａでは電源オフ後もそのまま表示を保持するので、表示状態に示すように「画面表示例１」を表示した状態がそのまま続く。
【００３０】
前記初回の電源オン時から１日が経過した時刻ｔ１において、再度電源がタイマ起動により自動的にオンされると（２回目の電源オン）、外部の情報配信サーバから最新情報を取得して、それを電子ペーパー６Ａに表示する。ここでは、前回表示された日付よりも１日が経過した「200X年10月８日の日めくりカレンダー」（画面表示例２）を表示するよう「描画２」が行われる。ここでも、電源オフ後には、電子ペーパー６Ａに表示された「画面表示例２」はそのまま表示が保持される。
【００３１】
前記２回目の電源オンから１日が経過する前にユーザ自身が電源をオンした場合には（時刻ｔ２）、２回目の電源オン時に外部の情報配信サーバから取得し記憶していたWebページデータに基づき電子ペーパー６Ａに「画面表示例２」を「再描画」する。電子ペーパー６Ａにおいては電源オフ後においても「画面表示例２」の表示が保持されていることから、ユーザによる電源オン時に電子ペーパー６Ａに表示されている「画面表示例２」が再描画されていたとしても、実際にはユーザが特に再描画されていることを意識することはない。ただし、ここで表示を再描画することにより、該電子ペーパー６Ａに表示されたリンクをユーザが指定することができ、該指定に応じて外部の情報配信サーバから該表示内容に関連した新規の情報を新たに取得することができるようになる。ここでは、画面表示例２の「今日はＸＸさんの誕生日  プレゼントはこちら」表示において下線が表示されている「こちら」部分がリンクにあたる。該リンクをユーザがポインタなどでクリックするなどの指定操作を行うと（時刻ｔ３におけるユーザによるアクセス操作）、該指定に応じて外部の情報配信サーバから該表示内容に関連した新規の情報を新たに取得し、該取得した情報を電子ペーパー６Ａに表示する（画面表示例３）ように「描画３」を行う。なお、ユーザ自身が電源オンした場合には、ユーザ自身が電源オフ操作するまで電源オンの状態が続く。
なお、上述のように本実施の形態においては、情報配信サーバはアクセスしてきたユーザに応じてカスタマイズされたWebページデータ（例えば、「xxさんの誕生日」という特定ユーザ専用のデータ）を配信するようにしている。これは、情報配信サーバへのアクセスの際に、電子音楽装置からユーザを特定するデータをサーバへと送信することにより実現される。
【００３２】
以上のようにして、表示内容を定期的に更新しながら各種情報を表示する情報表示装置の表示器に電子ペーパー６Ａを採用したので、従来に比べて消費電力をより小さくすることができるとともに、ユーザに対して目に優しく見やすい表示器を提供することができる。また、電子ペーパー６Ａを表示器として採用したことに伴って、通信ネットワークＸを介して情報配信サーバから取得したLink先情報を含むWebページデータを記憶しておき、ユーザによる電源オン時には該Webページデータに基づき電子ペーパー６Ａの表示内容を再描画するようにしたことにより、電源オフ時に表示が保持されていた表示内容に従っても、該表示内容に関連する新規の情報をユーザが任意に取得することが容易にできるようにしている。
【００３３】
なお、電子ペーパー６Ａに表示する情報の表示内容としては、上記したような「日めくりカレンダー」の表示例に限らずどのような情報の表示内容であってもよい。また、タイマ処理に応じて取得して電子ペーパー６Ａに表示する情報の内容や分野等を適宜に変更するようにしてあってもよい。その場合、情報配信サーバ１２Ａ側で配信する情報の内容を適宜に変更するようにしてもよいし、電子音楽装置側で情報の配信を受ける情報配信サーバ１２Ａを適宜に変更するようにしてもよい。
なお、本発明に似た機能としてパーソナルコンピュータにおいて電源オフ時に表示中の内容を保持しておく所謂レジューム機能があるが、従来知られたレジューム機能では電源オフ中に表示が保持されていないこと、定期的に表示中の情報が更新されないことなどの点で、本発明とは異なる。また、所謂スタンバイ機能が従来から知られているが、上記レジューム機能と同様の理由だけでなく、さらにディスプレイに対する電源供給を停止するだけのものであり、本発明のように装置全体の電源供給を停止するものではないことから、本発明とは異なる。
【００３４】
なお、電子ペーパー６Ａは専用或いはＵＳＢ等の汎用インターフェースを介して電子音楽装置本体に着脱可能に設置されることに限らず、電子音楽装置上に固定的に設置されていてもよい。あるいは電子音楽装置本体とは物理的に切り離されており、電子音楽装置側から無線により表示の切り替え指示を行うことができるようになっていてもよい。固定的に設置される場合は譜面立部に電子ペーパー６Ａを設置するのが好ましく、着脱可能な場合は譜面立部に載置可能な形状(例えば紙楽譜と同様の大きさ、厚さ)とするのが好ましい。また、着脱可能とした場合、電子ペーパー駆動回路６は電子音楽装置本体側に固定され、電子ペーパー６Ａのみを着脱可能としてもよいし、電子ペーパー駆動回路６ごと着脱可能としてもよい。さらに、着脱可能とした場合には、複数種類の方式の電子ペーパー６Ａを接続できるようにしてもよい。
なお、上述した実施例のように、電子ペーパー６Ａではない表示器（ＬＣＤ表示器５Ａ等）も同時に具備する場合、該表示器と電子ペーパー６Ａとで同じ種類の情報を表示してもよいし、異なる種類の情報を表示してもよい。同じ種類の情報を表示する場合には、例えば電子ペーパー６Ａには１ページ分の情報を表示し、他の表示器にはそのうちの一部のみを拡大表示するなどしてよい。
【図面の簡単な説明】
【００３５】
【図１】この発明に係る情報表示装置を適用した電子音楽装置の全体構成の一実施例を示したハード構成ブロック図である。
【図２】従来知られたマイクロカプセル型電気泳動方式の電子ペーパーの構造を示す概要図である。
【図３】タイマ処理の一実施例を示すフローチャートである。
【図４】ユーザ操作による電源オン時の処理の一実施例を示すフローチャートである。
【図５】装置本体の電源オンオフのタイミングチャートに従って、電子ペーパーに切り替え表示される表示内容の一例を示した概念図である。
【符号の説明】
【００３６】
１…ＣＰＵ、２…ＲＯＭ、３…ＲＡＭ、４…検出回路、４Ａ…演奏操作子／設定操作子、５…駆動回路、５Ａ…ＬＣＤ表示器、６…電子ペーパー駆動回路、６Ａ…電子ペーパー、７…音源回路、８…効果回路、９…サウンドシステム、１０…外部記憶装置、１１…MIDIインタフェース、１１Ａ…MIDI機器、１２…通信インタフェース、１２Ａ…サーバコンピュータ、Ｘ…通信ネットワーク、１Ｄ…通信バス（データ及びアドレスバス）、Ａ…透明電極、Ｂ…背面電極、Ｃ…マイクロカプセル（電子インク）、Ｄ…黒色微粒子、Ｅ…白色微粒子
【図１】
0005626944.tif 000002
【図２】
0005626944.tif 000003
【図３】
0005626944.tif 000004
【図４】
0005626944.tif 000005
【図５】
0005626944.tif 000006